(57)【要約】【課題】全ての問題回答と採点が終わった後で、出題された問題のカテゴリごとの解説を回答者に示し、たとえば特に間違いの多かったカテゴリの詳細な解説を回答者に示すことができる解答解説システムを提供する。【解決手段】出題ホスト１は、回答者端末２に問題Ｑを出題する出題手段１１と、出題手段１１が出題した問題に対して回答者端末２が返した回答に対して採点を行う採点手段１２と、出題するべく用意してある問題をカテゴリで分類するとともに、各カテゴリについて解説を作成しておき、問題Ｑに対して回答者端末２が回答を返したときは、当該問題が属するカテゴリについての解説を回答者端末２に提供する解説提供手段１３とを備えたことを特徴とする。【選択図】　　　　図１
2004117444.tif 000002
【特許請求の範囲】
【請求項１】
回答者端末と、通信回線を介して前記回答者端末に接続される出題ホストとからなる解答解説支援システムにおいて、
前記出題ホストは、
回答者端末に問題を出題する出題手段と、
前記出題手段が出題した問題に対して回答者端末が返した回答に対して採点を行う採点手段と、
出題するべく用意してある問題をカテゴリで分類するとともに、各カテゴリについて解説を作成しておき、前記問題に対して回答者端末が回答を返したときは、当該問題が属するカテゴリについての前記解説を前記回答者端末に提供する解説提供手段と、
を備えたことを特徴とする解答解説支援システム。
【請求項２】
前記出題ホストは、さらに、
前記カテゴリが、カテゴリＩＤにより特徴付けされて登録されるカテゴリデータベースと、
前記カテゴリについての解説がカテゴリＩＤに対応して格納されるカテゴリ別解説データベースと、
前記問題の内容とその問題のカテゴリＩＤが格納される問題内容データベースと、
前記問題の正解が格納される正解データベースと、
前記回答者端末から返された回答が格納される回答データベースと、
前記問題の正解と前記回答との比較結果である、当該回答についての採点結果が格納される採点結果データベースと、
前記回答についての採点結果をカテゴリ別に格納するカテゴリ別採点結果データベースと、
前記カテゴリデータベース、前記問題内容データベース、前記採点結果データベースの情報から前記カテゴリ別の採点結果を集計するカテゴリ別採点結果集計処理部と、
前記カテゴリについての解説を作成する解説作成部と、
を備えたことを特徴とする請求項１に記載の解答解説支援システム。
【請求項３】
前記解説提供手段は、前記出題ホストが出題した全問題が属する複数のカテゴリの解説のうちからランダムに、少なくとも１を選択して前記回答者端末に提供することを特徴とする請求項１または２に記載の解答解説支援システム。
【請求項４】
前記解説提供手段は、前記出題ホストが出題した全問題が属する複数のカテゴリの解説のうちから、最も正解率が低いカテゴリの解説を選択して前記回答者端末に提供することを特徴とする請求項１または２に記載の解答解説支援システム。
【請求項５】
前記解説提供手段は、前記出題ホストが出題した全問題が属する複数のカテゴリの解説のうちから、最も正解率が高いカテゴリの解説を選択して前記回答者端末に提供することを特徴とする請求項１または２に記載の解答解説支援システム。
【請求項６】
前記解説提供手段は、前記出題ホストが出題した全問題が属する複数のカテゴリの解説のうちから、正解率が低い順から複数のカテゴリの解説を選択して前記回答者端末に提供することを特徴とする請求項１または２に記載の解答解説支援システム。
【請求項７】
前記解説提供手段は、前記出題ホストが出題した全問題が属する複数のカテゴリの解説のうちから、正解率が高い順から複数のカテゴリの解説を選択して前記回答者端末に提供することを特徴とする請求項１または２に記載の解答解説支援システム。
【請求項８】
前記ユーザ端末にカテゴリごとに作成した解説を提供するときは、該当するカテゴリの出題問題とこれに対する回答および正解を併せて提供することを特徴とする請求項１から７の何れかに解答解説支援システム。
【発明の詳細な説明】
【０００１】
【発明の属する技術分野】
本発明は、ネットワークのウェブを利用した解答解説システムに関し、全ての問題回答と採点が終わった後で、出題された問題のカテゴリごとの解説を回答者に示し、たとえば特に間違いの多かったカテゴリの詳細な解説を回答者に示すことができる解答解説システムに関する。
【０００２】
【従来の技術】
教育システムの自動採点テストにおける解答解説システムとして、特許文献１に示す「ウェブを利用した教育システムの提供方法および教育教材の作成方法」が知られている。
Ｗｅｂを通じて問題回答採点を行うシステムにおいて、採点結果を表示する際に問題内容や回答者の回答と共に解説を同時に表示し、回答者への理解を促すことは、一般によく行われている。このようなシステムにおいては、各問題の採点結果表示と共に解説を行う。
【０００３】
【特許文献１】
特開２０００−３４８１０４号
【０００４】
【発明が解決しようとする課題】
しかし、各問題ごとに解説を示したのでは系統だった解説を行うことは難しく、解説が他の問題の解答を含んでいるといけないなどの制約も生じる。
また、回答者が回答した問題の検討を行う場合に、複数の問題の解説に同一趣旨の解説が記載されている場合には、わずらわしく感じ、結果として学習意欲を低下させてしまうこともある。
【０００５】
本発明の目的は、全ての問題回答と採点が終わった後で、出題された問題のカテゴリごとの解説を回答者に示し、たとえば特に間違いの多かったカテゴリの詳細な解説を回答者に示すことができる解答解説システムを提供することにある。
【０００６】
【課題を解決するための手段】
本発明の解答解説支援システムは、回答者端末と、通信回線を介して前記回答者端末に接続される出題ホストとからなり、前記出題ホストは、回答者端末に問題を出題する出題手段と、前記出題手段が出題した問題に対して回答者端末が返した回答に対して採点を行う採点手段と、出題するべく用意してある問題をカテゴリで分類するとともに、各カテゴリについて解説を作成しておき前記問題に対して回答者端末が回答を返したときは当該問題が属するカテゴリについての前記解説を前記回答者端末に提供する解説提供手段と、を備えたことを特徴とする。
【０００７】
本発明において、前記出題ホストは、さらに、前記出題ホストは、さらに、前記カテゴリが、カテゴリＩＤにより特徴付けされて登録されるカテゴリデータベースと、前記カテゴリについての解説が格納されるカテゴリ別解説データベースと、前記問題の内容とその問題のカテゴリＩＤが格納される問題内容データベースと、前記問題の正解が格納される正解データベースと、前記回答者端末から返された回答が格納される回答データベースと、前記問題の正解と前記回答との比較結果である、当該回答についての採点結果が格納される採点結果データベースと、前記回答についての採点結果をカテゴリ別に格納するカテゴリ別採点結果データベースと、前記カテゴリデータベース、前記問題内容データベース、前記採点結果データベースの情報から前記カテゴリ別の採点結果を集計するカテゴリ別採点結果集計処理部と、前記カテゴリについての解説を作成する解説作成部と、を備えたことを特徴とする。
【０００８】
本発明では、前記解説提供手段は、前記出題ホストが出題手段により出題した問題が属するカテゴリの解説を少なくとも１つ回答者端末に提供することがでる。回答者端末では、複数のカテゴリの解説が複数提供されたときは、当該解説を所定の順で、あるいはランダムに切り換えて、ディスプレイに表示することができる。
【０００９】
本発明では、前記解説提供手段は、（１）前記出題ホストが出題した全問題が属する複数のカテゴリの解説のうちからランダムに、少なくとも１を選択して前記回答者端末に提供すること、（２）前記出題ホストが出題した全問題が属する複数のカテゴリの解説のうちから、最も正解率が低いカテゴリの解説を選択して前記回答者端末に提供すること、（３）前記出題ホストが出題した全問題が属する複数のカテゴリの解説のうちから、最も正解率が高いカテゴリの解説を選択して前記回答者端末に提供すること、（４）前記出題ホストが出題した全問題が属する複数のカテゴリの解説のうちから、正解率が低い順から複数のカテゴリの解説を選択して前記回答者端末に提供すること、（５）前記出題ホストが出題した全問題が属する複数のカテゴリの解説のうちから、正解率が高い順から複数のカテゴリの解説を選択して前記回答者端末に提供することができる。
【００１０】
さらに、本発明では、前記ユーザ端末にカテゴリごとに作成した解説を提供するときは、該当するカテゴリの出題問題とこれに対する回答および正解を併せて提供することができる。
【００１１】
本発明では、問題についてカテゴリという概念を設けて、カテゴリごとの詳細な解説を用意しておくことで、全ての問題回答と採点が終わった後に、ホスト装置により出題した問題についてカテゴリごとの詳細な解説を回答者端末に提示し、または特に間違いの多かった問題が属するカテゴリ（正解率が低いカテゴリ）、間違いが少なかったカテゴリ（正解率が高いカテゴリ）等、採点結果に応じた詳細な解説をカテゴリ単位で、回答者端末に提示することができる。本発明では、採点結果に応じた詳細な解説をカテゴリ単位で示すこれによって、問題に対する解説を系統立てて回答者端末に提示することができる。
【００１２】
【発明の実施の形態】
以下、本発明の実施形態を説明する。
図１は本発明の解答解説装置を含む解答解説支援システムの構成図であり、出題ホスト１と回答者端末２とが、インターネット１００を介して接続されている。出題ホスト１は、出題手段１１と、採点手段１２と、解説提供手段１３とを備えている。出題手段１１は、回答者端末２に問題を出題することができ、採点手段１２は出題した問題に対して回答者端末２が返した回答に対して採点を行うことができる。また、解説提供手段１３は、出題した問題に対する解説を、当該問題が属するカテゴリごとに作成しておき、回答者端末２から回答が返されたときは、前記出題手段１１が出題した問題が属するカテゴリについての解説を回答者端末２に提供することができる。
【００１３】
解説提供手段１３は、図２に示すように、次の構成要素を含んでいる。
ｄＢ０１：カテゴリが、カテゴリＩＤにより特徴付けされて登録されるカテゴリデータベース
ｄＢ０２：各カテゴリについての解説がカテゴリＩＤに対応して格納されるカテゴリ別解説データベース
ｄＢ０３：問題の内容とその問題のカテゴリＩＤが格納される問題内容データベース
ｄＢ０４：問題の正解が格納される正解データベース
ｄＢ０５：回答者端末から返された回答が格納される回答データベース
ｄＢ０６：問題の正解と回答との比較結果である、当該回答についての採点結果が格納される採点結果データベース
ｄＢ０７：回答についての採点結果をカテゴリ別に格納するカテゴリ別採点結果データベース
Ｐ０１：カテゴリデータベース（ｄＢ０１）、問題内容データベース（ｄＢ０３）、採点結果データベース（ｄＢ０６）の情報からカテゴリ別の採点結果を集計するカテゴリ別採点結果集計処理部
Ｐ０２：前記カテゴリについての解説（解説情報Ｃ）を作成する解説作成部
【００１４】
カテゴリデータベースｄＢ０１には、図３（Ａ）に示すようにカテゴリＩＤとカテゴリ名とが関連付けて登録されている。
カテゴリ別解説データベースｄＢ０２には、図３（Ｂ）に示すようにカテゴリＩＤと解説とが関連付けて登録されている。
問題内容データベースｄＢ０３には、図３（Ｃ）に示すようにカテゴリＩＤと解説とが関連付けて登録されている。問ＩＤと、問題内容と、カテゴリＩＤとが関連付けて登録されている。
【００１５】
正解データベースｄＢ０４には、図４（Ａ）に示すように問ＩＤと、回答欄ＩＤ（１つのＩＤに対して複数の解答欄がある場合もある）と、正解とが登録されている。
回答データベースｄＢ０５には、図４（Ｂ）に示すように問ＩＤと、回答欄ＩＤと、回答とが登録されている。
【００１６】
採点結果データベースｄＢ０６には、図４（Ｃ）に示すように問ＩＤと、回答欄ＩＤと、採点結果とが登録されている。
カテゴリ別採点結果データベースｄＢ０７には、図５に示すようにカテゴリＩＤと、カテゴリＩＤに該当する問題と、問題に対する採点結果（正解数，問題数）とが登録されている。
【００１７】
図１の解答解説システムにおける基本処理を以下に説明する。なお、カテゴリデータベースｄＢ０１、カテゴリ別解説データベースｄＢ０２、問題内容データベースｄＢ０３、正解データベースｄＢ０４、回答データベースｄＢ０５、採点結果データベースｄＢ０６には、すでに情報が格納されているものとする。
まず、カテゴリ別採点結果集計処理部Ｐ０６により、カテゴリデータベースｄＢ０１、問題内容データベースｄＢ０３、採点結果データベースｄＢ０６の情報からカテゴリ別の採点結果を集計し、これをカテゴリ別採点結果データベースｄＢ０７に格納する
そして、カテゴリデータベースｄＢ０１、カテゴリ別解説データベースｄＢ０２の情報を元に、解説作成部Ｐ０２にて、解説情報Ｃを作成し出力とする。
【００１８】
図６および図７のフローチャートにより、カテゴリ別採点結果集計処理部Ｐ０１の処理を説明する。
まず、カテゴリデータベースｄＢ０１より、カテゴリの全数Ｎ（＝Ｎｃ）と、カテゴリＩＤの列Ｉｃ［ｋ］およびカテゴリ名を取得する（Ｓ１０１）。ここで、ｋ＝１，２，・・・，Ｎｃである。
メモリ空間の作業領域として、カテゴリ別解答数列ＴＡ［ｋ］、カテゴリ別正解数列ＲＡ［ｋ］、カテゴリ別該当問題列Ｑ［ｋ］を確保し（Ｓ１０２）、各配列の中身を全て０にする。
【００１９】
そして、問題内容データベースｄＢ０３から問題情報を順次取り出し（Ｓ１０３，Ｓ１０４）、以下の処理（Ｓ１０５〜Ｓ１０９）を取り出した問題について行う。
Ｓ１０５〜Ｓ１０８では、解答欄ＩＤの数“ＴＡ＿ｔ”と正解数“ＲＡ＿Ｔ”を求める。
【００２０】
Ｓ１０５では、問題ＩＤを“Ｉｑ＿ｔ”とし、対応するカテゴリＩＤ“Ｉｃ＿ｔ”を問題内容データベースｄＢ０３から取り出す。
Ｓ１０６では、カテゴリＩＤ“Ｉｃ＿ｔ”を、カテゴリＩＤの列Ｉｃ［ｋ］の内容と比較し、何番目のカテゴリかであるかの情報（カテゴリの番号“ｘ”）を得る。
【００２１】
Ｓ１０７では、カテゴリの番号“ｘ”を使い、問題ＩＤ“Ｉｑ＿ｔ”をカテゴリ別該当問題列Ｑ［ｘ］に格納する。たとえば、１番目のカテゴリに、問題ＩＤが“２”，“７”に属するときは、問題列Ｑ［１］に、問題ＩＤ“２”，“７”が格納される。
Ｓ１０８では、採点結果データベースｄＢ０６より問題ＩＤ“Ｉｑ＿ｔ”の解答欄ＩＤの数“ＴＡ＿ｔ”とその採点結果から得られる正解数“ＲＡ＿ｔ”を得る。たとえば、解答欄が４つであり、正解の数が３つのときは、解答欄ＩＤの数“ＴＡ＿ｔ”は“４”、正解数“ＲＡ＿ｔ”は“３”となる（図５のカテゴリＩＤが“１”，問題ＩＤが“７”のとき参照）。
【００２２】
Ｓ１０９では、Ｓ１０８で得られた解答欄ＩＤの数“ＴＡ＿ｔ”を“ｘ”番目のカテゴリ別解答数列ＴＡ［ｘ］の内容に加算し、Ｓ１０８で得られた正解数“ＲＡ＿Ｔ”を“ｘ”番目のカテゴリ別正解数列ＲＡ［ｘ］の内容に加算する。たとえば、それまでの処理でＴＡ［１］が“１”で、ＲＡ［１］が“１”である場合に、解答欄ＩＤの数“ＴＡ＿ｔ”が“４”、正解数“ＲＡ＿Ｔ”が“３”のときは、Ｓ１０８の処理後においてはＴＡ［１］が“５”は、ＲＡ［１］は“４”となる（図５のカテゴリＩＤが“１”のとき参照）。
【００２３】
メモリの作業領域に格納されているカテゴリＩＤの列Ｉｃ［ｋ］と、カテゴリ別解答数列ＴＡ［ｋ］と、カテゴリ別正解数列ＲＡ［ｋ］と、カテゴリ別該当問題列Ｑ［ｋ］との情報をカテゴリ別採点結果データベースｄＢ０７に格納する。なお、図５の“正解率”の欄に示したように、カテゴリごとの採点結果は、カテゴリ別正解数ＲＡ［ｘ］をカテゴリ別解答数ＴＡ［ｘ］で除算して格納される（図５では、除算結果を分数で示してある）。
【００２４】
図８のフローチャートにより、解説作成部Ｐ０２の処理を説明する。
まず、カテゴリデータベースｄＢ０１より各カテゴリごとの情報を順次取り出す（Ｓ２０１，Ｓ２０２）。
Ｓ２０２において、該当問題がない場合は次のカテゴリに処理を移す（Ｓ２０３）。Ｓ２０２において、該当問題がある場合には、カテゴリＩＤを“Ｉｃ＿ｔ”とし（Ｓ２０４）、カテゴリＩＤ“Ｉｃ＿ｔ”を元にカテゴリデータベースｄＢ０１よりカテゴリ名を得る（Ｓ２０５）。
この後、カテゴリＩＤ“Ｉｃ＿ｔ”を元にカテゴリ別解説データベースｄＢ０２よりカテゴリ別解説情報を取り出し（Ｓ２０６）、このカテゴリ別解説情報に、適宜、カテゴリ名，該当問題ＩＤを追加して出力する。
【００２５】
具体例として以下のような問題Ｑがあるとする
【００２６】
【表１】
2004117444.tif 000003
【００２７】
カテゴリデータベースｄＢ０１に格納された問題Ｑの内容は以下の通りである。
【００２８】
【表２】
2004117444.tif 000004
【００２９】
カテゴリ別解説データベースｄＢ０２に格納された問題Ｑの内容は以下の通りである。
【００３０】
【表３】
2004117444.tif 000005
【００３１】
問題Ｑに対する正解は以下の通りである。
【００３２】
【表４】
2004117444.tif 000006
【００３３】
回答者の回答が以下のようになされたものとする。
【００３４】
【表５】
2004117444.tif 000007
【００３５】
問題Ｑについての、採点結果は以下のようになる。
【００３６】
【表６】
2004117444.tif 000008
【００３７】
カテゴリ別採点結果集計処理部Ｐ０１により生成されるカテゴリ別採点結果データベースｄＢ０７は以下のようになる
【００３８】
【表７】
2004117444.tif 000009
【００３９】
さらに、解説作成部Ｐ０２の処理により出力される解説情報は以下のようになる
【００４０】
【表８】
2004117444.tif 000010
【００４１】
つぎに、図９により出力する解説を出題された問題Ｑのカテゴリの中でもっとも正解率の悪いカテゴリ１つのみとするシステムの処理について説明する。
【００４２】
まず、カテゴリ別採点結果データベースｄＢ０７より各カテゴリごとの情報を順次取り出し以下の処理を行う（Ｓ３０１，Ｓ３０２）。該当問題Ｑがない場合は次のカテゴリに処理を移す（Ｓ３０３）。
【００４３】
該当問題Ｑがある場合、カテゴリの合計点数を所定の一時記憶領域Ｓの既処理の最低合計点数と比較し（Ｓ３０４）、カテゴリＩＤの合計点数が、処理済の他のカテゴリの合計点数のうち最も低い合計点数よりも低い点数か否かをチェックする（Ｓ３０５）。
【００４４】
Ｓ３０５において、カテゴリＩＤの合計点数が所定の記憶領域Ｓにすでに記憶された他のカテゴリＩＤの合計点数よりも低くない場合は処理をＳ３０１に戻し、低い場合はカテゴリＩＤを、点数とともに一時記憶領域Ｓに記憶する（Ｓ３０６）。最初のカテゴリについて合計点数がカテゴリ別採点結果データベースｄＢ０７から呼び出されるときは、比較するカテゴリおよび合計点数は一時記憶領域Ｓには格納されていないの、最初のカテゴリの合計点数をそのまま格納する。なお、Ｓ３０５において、カテゴリＩＤの合計点数が所定の一時記憶領域Ｓにすでに記憶された他のカテゴリＩＤの合計点数と同じ場合には、Ｓ３０１に戻してもよいしＳ３０７に処理を移してもよい。
【００４５】
Ｓ３０２において、全てのカテゴリについて処理を行ったときは、一時記憶領域Ｓから最低点カテゴリＩＤを取得し、これを“Ｉｃ＿ｔ”とし（Ｓ３０７）、“Ｉｃ＿ｔ”を元にカテゴリデータベースｄＢ０１よりカテゴリ名を得る（Ｓ３０８）。次に、カテゴリ別解説データベースｄＢ２からカテゴリＩＤ“Ｉｃ＿ｔ”に対応する解説を取り出し（Ｓ３０９）、カテゴリＩＤ“Ｉｃ＿ｔ”についてのカテゴリ名該当問題ＩＤ，カテゴリ別解説を解説情報に追加して解説情報として出力する（Ｓ３１０）。
具体例として，図６〜図８における例を用いると、作成される解説情報は以下のようになる。
【００４６】
【表９】
2004117444.tif 000011
【００４７】
つぎに、図１０および図１１により、出力する解説に該当するカテゴリの出題した問題Ｑとそれへの回答、正解を併せて出力システムの処理について説明する。
ここでは、解説作成部Ｐ０２による解説作成の際に、問題内容データベースｄＢ０３、正解データベースｄＢ０４と回答データベースｄＢ０５も併せて参照する。
【００４８】
まず、カテゴリ別採点結果データベースｄＢ０７より各カテゴリごとの情報を順次取り出し以下の処理を行う（Ｓ４０１，Ｓ４０２）。該当問題Ｑがあるかどうかは、カテゴリ別採点結果データベースｄＢ０７を知ることができ、該当問題Ｑがない場合は次のカテゴリに処理を移す（Ｓ４０３）。
Ｓ４０２において、該当問題Ｑがない場合は次のカテゴリに処理を移す（Ｓ４０３）。Ｓ４０２において、該当問題Ｑがある場合には、カテゴリ情報のカテゴリＩＤを“Ｉｃ＿ｔ”とし（Ｓ４０４）、カテゴリＩＤ“Ｉｃ＿ｔ”を元にカテゴリデータベースｄＢ０１よりカテゴリ名を得る（Ｓ４０５）。
【００４９】
カテゴリＩＤ“Ｉｃ＿ｔ”を元にカテゴリ別解説データベースｄＢ０２より解説を取り出す（Ｓ４０６）。
該当問題Ｑより該当する問題ＩＤを得て、各問題ＩＤごとに、Ｓ４０７〜４１１の処理を行う。
Ｓ４０７では、問題内容データベースｄＢ０３から当該問題ＩＤの問題内容を得る（Ｓ４０７）。そして、該当する次の問題ＩＤを該当問題Ｑがなくなるまで（Ｓ４０８）、処理を繰り返す（Ｓ４０９，Ｓ４１０，Ｓ４１１）。
【００５０】
Ｓ４０９では、問題ＩＤの問題内容を得る。
Ｓ４１０では、問題ＩＤの正解を得る。
Ｓ４１１では、問題ＩＤの解答を得る。
【００５１】
この後、カテゴリ名、カテゴリ別解説、該当問題ＩＤごとの問題ＩＤ、問題内容、正解、回答を解説情報に追加する（Ｓ４１２）。
【００５２】
なお、Ｓ４０２において、処理するカテゴリがなくなったときは処理を終了する。
具体例として図６〜図８に示した例を用いると、作成される解説情報は以下のようになる。
【００５３】
【表１０】
2004117444.tif 000012
【００５４】
【発明の効果】
本発明のシステムによれば、回答者が解いた問題への系統だった解説を示すことができる。
【００５５】
また、解説を１つのカテゴリに絞ることで、回答者は、集中してそのカテゴリの理解を深めることができる。解説を最も正解率の悪いカテゴリに絞ることで、最も学習が必要なカテゴリに対して理解を深めることができ、解説を最も正解率の良いカテゴリに絞ることで、得意な分野の知識を確実にして完全に理解したカテゴリを増やすことができる。
【００５６】
さらに、解説を正解率の悪いカテゴリ順に示すことで、より不得意な分野を先に学習でき、解説を正解率の良いカテゴリ順に示すことで、学習が捗ると予想される得意分野から学習できるのでより多くの分野の知識を吸収できる。
加えて、回答者が自分が考えて答えを出している問題を参照できることにより、問題内容と解説を関連付けて理解をより深めることができる。
【図面の簡単な説明】
【図１】本発明のシステムの基本構成を示す説明図である。
【図２】図１における解説提供手段の構成を示す図である。
【図３】（Ａ）はカテゴリデータベースの一例を示す図、（Ｂ）はカテゴリ別解説データベースの一例を示す図、（Ｃ）は問題内容データベースｄＢ０３の一例を示す図である。
【図４】（Ａ）は正解データベースの一例を示す図、（Ｂ）は回答データベースの一例を示す図、（Ｃ）は採点結果データベースの一例を示す図である。
【図５】カテゴリ別採点結果データベースの一例を示す図である。
【図６】カテゴリ別採点結果集計処理部の処理の前半を示すフローチャートである。
【図７】カテゴリ別採点結果集計処理部の処理の後半を示すフローチャートである。
【図８】解説作成部の処理を示すフローチャートである。
【図９】出力する解説を出題された問題のカテゴリの中でもっとも正解率の悪いカテゴリ１つのみとするシステムの処理を示すフローチャートである。
【図１０】出力する解説に該当するカテゴリの出題した問題とそれへの回答、正解を併せて出力システムの処理の前半を示すフローチャートである。
【図１１】出力する解説に該当するカテゴリの出題した問題とそれへの回答、正解を併せて出力システムの処理の後半を示すフローチャートである。
【符号の説明】
１　出題ホスト
２　回答者端末
１１　出題手段
１２　採点手段
１３　解説提供手段
１００　インターネット
ｄＢ０１　カテゴリデータベース
ｄＢ０２　カテゴリ別解説データベース
ｄＢ０３　問題内容データベース
ｄＢ０４　正解データベース
ｄＢ０５　回答データベース
ｄＢ０６　採点結果データベース
ｄＢ０７　カテゴリ別採点結果データベース
Ｐ０１　カテゴリ別採点結果集計処理部
Ｐ０２　解説作成部
【図１】
2004117444.tif 000013
【図２】
2004117444.tif 000014
【図３】
2004117444.tif 000015
【図４】
2004117444.tif 000016
【図５】
2004117444.tif 000017
【図６】
2004117444.tif 000018
【図７】
2004117444.tif 000019
【図８】
2004117444.tif 000020
【図９】
2004117444.tif 000021
【図１０】
2004117444.tif 000022
【図１１】
2004117444.tif 000023